(57)【要約】【課題】配線作業の作業性の向上。【解決手段】回転刃と、前記回転刃を駆動するためのブラシレスモータと、前記モータを駆動制御するための回路基板と、を備え、前記回転刃は、切断進行方向と直交する方向である左右方向に沿った回転軸線を有し、前記モータは、前記左右方向に沿った回転軸線を有し、前記モータは、前記左右方向の第一方向の端部である第一端部と、前記左右方向の第二方向の端部である第二端部とを有し、前記モータは、前記回転刃に対して、前記左右方向の前記第一方向に位置し、前記回路基板の厚さ方向は、前記左右方向に沿っており、前記回路基板は、前記モータの前記第一端部の近傍であって且つ前記モータに対して前記切断進行方向の後側に位置している。【選択図】図１
2019188489.tif 000002
【特許請求の範囲】
【請求項１】
回転刃と、前記回転刃を駆動するためのブラシレスモータと、前記モータを駆動制御するための回路基板と、を備え、
前記回転刃は、切断進行方向と直交する方向である左右方向に沿った回転軸線を有し、
前記モータは、前記左右方向に沿った回転軸線を有し、
前記モータは、前記左右方向の第一方向の端部である第一端部と、前記左右方向の第二方向の端部である第二端部とを有し、
前記モータは、前記回転刃に対して、前記左右方向の前記第一方向に位置し、
前記回路基板の厚さ方向は、前記左右方向に沿っており、
前記回路基板は、前記モータの前記第一端部の近傍であって且つ前記モータに対して前記切断進行方向の後側に位置している、丸鋸。
【請求項２】
ハウジングを更に備え、
前記ハウジングは、前記モータを収容するモータ収容部と、前記回路基板を収容する基板収容部と、バッテリパックが前記切断進行方向の後側から前側に向けて装着されるバッテリ装着部とを有し、
前記バッテリ装着部は、前記モータ収容部に対して前記切断進行方向の後側に位置し、且つ、前記基板収容部と前記回転刃との間に位置している請求項１記載の丸鋸。
【請求項３】
前記基板収容部は、前記左右方向の前記第一方向に開口する開口部と、前記開口部を閉じる横蓋とを有している請求項２記載の丸鋸。
【発明の詳細な説明】
【技術分野】
【０００１】
本発明は、丸鋸に関し、具体的には、ブラシレスモータを備えた丸鋸に関する。
【背景技術】
【０００２】
下記特許文献１の丸鋸は、円形の鋸刃の左側の位置にモータを備えている。モータを駆動制御するための平板形のコントローラ部品は、モータの後側に配置されている。コントローラ部品は、モータの右側の端部の近傍に位置している。コントローラ部品の厚さ方向は、丸鋸の加工進行方向に沿っている。コントローラ部品がモータの左側の端部から離れているため、モータとコントローラ部品との間の配線が長くなる可能性がある。
【先行技術文献】
【特許文献】
【０００３】
【特許文献１】特許第６１２９６６８号公報
【発明の概要】
【発明が解決しようとする課題】
【０００４】
本発明は、配線作業の作業性の向上を課題とする。
【課題を解決するための手段】
【０００５】
本発明の丸鋸は、
回転刃と、前記回転刃を駆動するためのブラシレスモータと、前記モータを駆動制御するための回路基板と、を備え、
前記回転刃は、切断進行方向と直交する方向である左右方向に沿った回転軸線を有し、
前記モータは、前記左右方向に沿った回転軸線を有し、
前記モータは、前記左右方向の第一方向の端部である第一端部と、前記左右方向の第二方向の端部である第二端部とを有し、
前記モータは、前記回転刃に対して、前記左右方向の前記第一方向に位置し、
前記回路基板の厚さ方向は、前記左右方向に沿っており、
前記回路基板は、前記モータの前記第一端部の近傍であって且つ前記モータに対して前記切断進行方向の後側に位置している。
【発明の効果】
【０００６】
本発明の丸鋸によれば、配線作業の作業性を向上させることができる。
【図面の簡単な説明】
【０００７】
【図１】本発明の一実施形態における丸鋸を後側から見た図。
【図２】同実施形態における丸鋸を上側から見た図。
【図３】同実施形態における丸鋸を左側から見た図。
【図４】図３のＡ−Ａ線の断面図。
【図５】図２のＢ−Ｂ線の断面図。
【図６】図３のＣ−Ｃ線の要部断面図。
【図７】同実施形態における丸鋸を左側から見た図であって、横蓋を外した状態を示す図。
【図８】同実施形態における丸鋸の横蓋を示す図。
【図９】図４の要部拡大図であって、横蓋を外した状態を示す。
【図１０】同実施形態における丸鋸を後側から見た図であって、バッテリパックを外した状態を示す図。
【図１１】同実施形態における丸鋸の斜視図であって、バッテリパックを外した状態を示す図。
【図１２】本発明の他の実施形態における丸鋸の斜視図。
【図１３】同実施形態における丸鋸の斜視図であって、横蓋と表示板とを取り外した状態を示す図。
【発明を実施するための形態】
【０００８】
以下、本発明の一実施形態にかかる丸鋸を説明する。本実施形態の丸鋸は、携帯用の丸鋸である。丸鋸は、被切断物を切断するための工具である。丸鋸は、回転刃１０によって、図示しない被切断物を切断する。丸鋸が被切断物を切断する際に、ユーザは、丸鋸を手で押す。以下、丸鋸を被切断物の上面に当てる場合について説明する。
【０００９】
回転刃１０が被切断物を切断していく方向を切断進行方向の前側とし、切断進行方向の前側とは反対側を切断進行方向の後側とする。以下、切断進行方向を単に前後方向といい、切断進行方向の前側を単に前側といい、切断進行方向の後側を単に後側という。平面視において、前後方向と直交する方向を左右方向とする。左右方向の第一方向と第二方向のうち、第一方向を左方向とし、第二方向を右方向とする。左右方向の左方向と右方向は、丸鋸を後側から見たときを基準として定める。以下、左右方向の右方向を単に右側といい、左右方向の左方向を単に左側という。図１〜図３に、前側を矢印Ｙ１、後側を矢印Ｙ２、左側を矢印Ｘ１、右側を矢印Ｘ２、上側を矢印Ｚ１、下側を矢印Ｚ２で示している。
【００１０】
＜ベース１２＞
丸鋸は、ベース１２を備えている。ベース１２は、被切断物の上面に当てられる。ベース１２は、平面視矩形状の板状である。ベース１２は、平面視において長方形状である。ベース１２の長辺の方向は、前後方向に沿っている。ベース１２は、平坦な下面を有している。丸鋸が被切断物を切断する際に、ベース１２の下面は、被切断物の上面を摺動する。ベース１２の下面は、丸鋸を被切断物の上面に沿って案内するための案内面である。回転刃１０の下部はベース１２の下面から下方に突出している。
【００１１】
＜本体１４＞
丸鋸は、本体１４を備えている。本体１４は、ベース１２の上側に取り付けられている。本体１４は、前後方向に延びる縦ピン１６を中心として、ベース１２に対して左右に回動可能である。本体１４は、左右方向に延びる横ピン１８を中心として、ベース１２に対して上下に回動可能である。横ピン１８は、本体１４の前端部を支持している。
【００１２】
＜回転刃１０＞
本体１４は、回転刃１０を備えている。回転刃１０は、平面視において、ベース１２の左右方向の中心よりも右側に位置している。回転刃１０は、本体１４に回転可能に支持されている。回転刃１０は、左右方向に沿った回転軸線１０Ａを有している。回転刃１０の回転軸線１０Ａは、平面視において、ベース１２の前後方向の中心の近傍に位置している。回転刃１０の第一の面は左側を向き、第一の面とは反対側の第二の面は右側を向いている。回転刃１０の第一の面は左面であり、回転刃１０の第二の面は右面である。図３のように回転刃１０を左側から見たとき、回転刃１０は時計回りに回転する。回転刃１０の下側には保護カバー２０が設けられている。
【００１３】
回転刃１０の回転軸線１０Ａが水平である状態を、丸鋸の基準状態とする。図面では、丸鋸の基準状態を図示している。基準状態において、回転刃１０は、ベース１２の下面に対して垂直であり、回転刃１０は、被切断物をベース１２の下面に対して直角に切断する。その場合、被切断物の切断面は被切断物の上面に対して直角の面となる。縦ピン１６を中心として、本体１４をベース１２に対して右側に傾けることにより、回転刃１０の回転軸線１０Ａを水平面に対して傾斜させることができる。その場合、被切断物の切断面は被切断物の上面に対して傾斜した傾斜面となる。
【００１４】
回転刃１０が被切断物を切断する深さを切り込み深さという。本体１４を横ピン１８を支点として上下に回動させると、ベース１２の下面に対する回転刃１０の突出量が増減し、切り込み深さを増減できる。図面には切り込み深さが最も深い状態を示している。
【００１５】
＜モータ２２＞
本体１４は、回転刃１０を駆動するためのモータ２２を備えている。モータ２２は、ブラシレスモータである。モータ２２は、ステータ２４とロータ２６とを備えている。ステータ２４はコイルであり、ロータ２６は永久磁石である。モータ２２は、左右方向に沿った回転軸線２２Ａを有している。モータ２２の回転軸線２２Ａは、回転刃１０の回転軸線１０Ａよりも前側に位置し、且つ、回転刃１０の回転軸線１０Ａよりも上側に位置している。モータ２２は、回転刃１０に対して左側に位置している。モータ２２の左端部２２Ｂが第一端部であり、モータ２２の右端部２２Ｃが第二端部である。モータ２２の左端部２２Ｂは回転刃１０から遠く、モータ２２の右端部２２Ｃは回転刃１０に近い。
【００１６】
モータ２２の左側の略半分は、ベース１２よりも左側にはみ出している。モータ２２は、回転軸線２２Ａ上にモータシャフト２８を備えている。モータシャフト２８は、二つのベアリング３０，３２に支持されている。ロータ２６は、モータシャフト２８と一体に回転する。モータ２２は、ファン３４を備えている。ファン３４は、モータシャフト２８に取り付けられていて、モータシャフト２８と一体に回転する。ファン３４は、ロータ２６と右側のベアリング３２との間に位置している。
【００１７】
＜ギヤ３６＞
本体１４は、モータ２２の回転を回転刃１０に伝達するための伝達機構であるギヤ３６を備えている。ギヤ３６の個数は、一つであっても複数であってもよい。ギヤ３６は、モータシャフト２８の右端部の近傍に位置する。モータシャフト２８は、右側のベアリング３２を貫通し、右側のベアリング３２よりも右側に突出している。モータシャフト２８の右端部には、図示しないピニオンギヤが形成されている。ギヤ３６は、ピニオンギヤと噛み合っている。
【００１８】
＜センサ基板４０＞
モータ２２は、センサ基板４０を備えている。センサ基板４０は、図示しない複数のホール素子を有している。ホール素子は、ロータ２６の磁界を検出することにより、ロータ２６の位置を検出し、検出信号を出力する。センサ基板４０は、モータ２２の左部に取り付けられている。センサ基板４０は、ロータ２６の左側に位置している。ステータ２４の左端面にはインシュレータ４２が取り付けられている。インシュレータ４２の左面にセンサ基板４０が取り付けられている。センサ基板４０の厚さ方向は左右方向に沿っている。モータシャフト２８はセンサ基板４０を貫通している。センサ基板４０は、ロータ２６と左側のベアリング３０との間に位置している。
【００１９】
＜回路基板４４＞
本体１４は、モータ２２を駆動制御するための回路基板４４を備えている。回路基板４４は、図示しないマイコンと、図示しないインバータ回路とを備えている。マイコンは、制御回路とプログラムとを備えている。マイコンは、ホール素子から検出信号を受ける。ホール素子の出力信号は、コンパレータを介してマイコンに送られる。マイコンは、ロータ２６の位置に合わせた駆動信号をインバータ回路に出力する。インバータ回路は、マイコンから駆動信号を受けて、モータ２２を駆動するための電流をコイルに流す。インバータ回路は、複数の半導体を備えている。半導体は、ドライバとも呼ばれる。半導体は、パワー素子４６を含む。パワー素子４６には、例えばＦＥＴが使用される。パワー素子４６はスイッチング素子とも呼ばれる。回路基板４４は、プリドライバを備えることができる。
【００２０】
回路基板４４は、薄い板状である。回路基板４４の厚さ方向は、左右方向に沿っている。回路基板４４の厚さ方向は、回路基板４４の実装面の法線方向である。回路基板４４は、長方形状である。回路基板４４の長辺の方向は、前後方向に沿っている。回路基板４４は、モータ２２の後側に位置している。回路基板４４は、モータ２２の左端部２２Ｂの近傍に位置する。回路基板４４の前端部はモータ２２に近く、回路基板４４の後端部はモータ２２から遠い。回路基板４４の高さは、モータ２２の高さと略一致する。回路基板４４は、平面視において、ベース１２よりも左側に位置している。
【００２１】
回路基板４４は、基板ケース４８に収容されている。基板ケース４８は、トレー状である。基板ケース４８の底部は右側を向き、基板ケース４８の開口部は左側を向いている。回路基板４４は、基板ケース４８にポッティングされている。回路基板４４の実装面に、複数のパワー素子４６が取り付けられている。回路基板４４の実装面は、左側を向いている。パワー素子４６には、パワー素子４６を冷却するためのヒートシンク５０が取り付けられている。ヒートシンク５０は、フィンを有する第一の面と、第一の面とは反対側の第二の面とを有している。ヒートシンク５０は、パワー素子４６の左側に位置している。ヒートシンク５０の第一の面は左側を向き、ヒートシンク５０の第二の面は右側を向いている。ヒートシンク５０の第二の面に複数のパワー素子４６が接触している。ヒートシンク５０のフィンは、左側に向けて延びていて、基板ケース４８の開口部から外側に突出している。
【００２２】
＜バッテリパック５２＞
丸鋸は、コードレスである。丸鋸は、バッテリパック５２を備えている。バッテリパック５２は、直方体である。バッテリパック５２は、長方形状の上面を有している。バッテリパック５２の上面に、図示しない端子が設けられている。バッテリパック５２は、本体１４に前側に向けて取り付けられ、本体１４から後側に向けて取り外される。バッテリパック５２は本体１４に対して水平面と平行にスライド可能である。バッテリパック５２は、上面が上側を向いた状態で本体１４に取り付けられる。バッテリパック５２の上面の左右両側に、各々スライドレール５４が形成されている。バッテリパック５２のスライドレール５４は、バッテリパック５２の上面の長辺の方向に沿って延びている。バッテリパック５２は、本体１４に、吊り下げられた状態で保持される。バッテリパック５２は、ベース１２から上方に僅かに離れている。
【００２３】
バッテリパック５２は、モータ２２の後側に位置している。バッテリパック５２は、回路基板４４と回転刃１０との間に位置している。バッテリパック５２は、モータ２２の後側の近傍に位置し、且つ、回路基板４４の右側の近傍に位置している。平面視において、バッテリパック５２の左右方向の中心は、ベース１２の左側の端面の近傍に位置する。バッテリパック５２の後面は、ベース１２の後端面よりも若干後側にはみ出している。
【００２４】
＜ハウジング＞
本体１４は、中空状のハウジングを備えている。ハウジングは、モータ収容部５６と、ギヤ収容部５８と、刃収容部６０と、バッテリ装着部６２と、基板収容部６４と、ハンドル部６６とを有している。モータ収容部５６は、モータ２２を収容している。モータ収容部５６は、左右方向の中心線を有する筒状である。モータ収容部５６の左端部５６Ａには、空気をモータ収容部５６の内部に取り入れるための図示しない取り入れ口が形成されている。モータ収容部５６の右端部は開口している。ギヤ収容部５８は、ギヤ３６を収容している。ギヤ収容部５８は、モータ収容部５６から右側に延びている。モータ収容部５６の内部空間とギヤ収容部５８の内部空間は、互いに連通している。刃収容部６０は、回転刃１０の外周部の上部と回転刃１０の左面とを覆う。刃収容部６０は、ギヤ収容部５８から右側に延びている。ギヤ収容部５８の内部空間と刃収容部６０の内部空間は、互いに連通している。
【００２５】
＜バッテリ装着部６２＞
バッテリ装着部６２にバッテリパック５２が装着される。バッテリ装着部６２は、モータ収容部５６の後側に位置し、基板収容部６４と回転刃１０との間に位置している。バッテリ装着部６２は、モータ収容部５６の上部から後側に向けて延びている。バッテリ装着部６２は、直方体形状である。バッテリ装着部６２の上下方向の長さは、バッテリ装着部６２の左右方向の長さ及び前後方向の長さよりも小さい。バッテリ装着部６２は、ベース１２から上方に離れている。バッテリ装着部６２とベース１２との間にバッテリパック５２が挿入される。
【００２６】
バッテリ装着部６２の上面と下面は、モータ収容部５６から後側に向けて延びている。バッテリ装着部６２は、バッテリパック５２の上面を吊り下げる。バッテリ装着部６２の下面にバッテリパック５２が吊り下げられる。バッテリ装着部６２は、バッテリパック５２の上面の大部分を上側から覆う。バッテリ装着部６２の下面に図示しない本体１４側の端子が設けられている。バッテリ装着部６２の端子にバッテリパック５２の端子が接続される。バッテリ装着部６２の下面に、本体１４側のスライドレール６８Ａ，６８Ｂが形成されている。本体１４側のスライドレール６８Ａ，６８Ｂは、前後方向に延びている。本体１４側のスライドレール６８Ａ，６８Ｂにバッテリパック５２のスライドレール５４が係合する。本体１４側のスライドレール６８Ａ，６８Ｂは左右一対形成されている。バッテリ装着部６２の右側面とバッテリパック５２の右側面とは、左右方向の位置が互いに略同じである。
【００２７】
＜基板収容部６４＞
基板収容部６４は、回路基板４４を収容している。基板収容部６４には、基板ケース４８と、回路基板４４と、ヒートシンク５０とが、まとめて収容されている。基板収容部６４には、円柱状のコンデンサ７０も収容されている。コンデンサ７０は、基板ケース４８の上部の右側に位置している。コンデンサ７０の中心線は前後方向に沿っている。
【００２８】
基板収容部６４は、モータ収容部５６の後側に位置し、モータ収容部５６の左端部５６Ａから後側に向けて延びている。基板収容部６４は、バッテリ装着部６２の左側に位置し、バッテリ装着部６２の左端部から下方に向けて延びている。基板収容部６４は、ベース１２よりも左側に離れて位置している。基板収容部６４は、直方体形状である。基板収容部６４の左右方向の長さは、基板収容部６４の上下方向の長さ及び前後方向の長さよりも小さい。基板収容部６４の前後方向の長さは、基板収容部６４の上下方向の長さよりも大きい。基板収容部６４の前後方向の長さは、バッテリ装着部６２の前後方向の長さと略等しい。
【００２９】
基板収容部６４の上面は、バッテリ装着部６２の上面と滑らかにつながっている。基板収容部６４の左側面は、モータ収容部５６の左側の端面の後側に段差部を介してつつながっている。基板収容部６４の右側面は、バッテリ装着部６２の下面の左端部から下方に延びている。基板収容部６４は、バッテリパック５２の左側に位置する。基板収容部６４の右側面は、バッテリパック５２の左側面と対向する。基板収容部６４の右側面とバッテリパック５２の左側面との間には、僅かに隙間があいている。基板収容部６４の下面の高さは、バッテリパック５２の下面の高さと略同じである。基板収容部６４は、バッテリパック５２の左側面の大部分を覆う。モータ収容部５６とバッテリ装着部６２及び基板収容部６４とは、前後に連続して形成されている。
【００３０】
＜ハンドル部６６＞
ハンドル部６６は、ユーザーが把持する部分である。切断作業時に、ユーザーは、ハンドル部６６を把持して丸鋸を前進させる。ハンドル部６６は、筒状である。ハンドル部６６は、回転刃１０から左側に離れて位置し、刃収容部６０から左側に離れて位置している。平面視において、ハンドル部６６は、前後方向に延びていて、刃収容部６０及び回転刃１０と平行である。ハンドル部６６は、モータ収容部５６の上面の右端部とバッテリ装着部６２の上面の後端部との間をつないでいる。ハンドル部６６は前端部と後端部を有している。ハンドル部６６の前端部は、モータ収容部５６の上面の右端部につながっている。ハンドル部６６の後端部は、バッテリ装着部６２の上面の後端部につながっている。ハンドル部６６は、モータ収容部５６の上面の右端部から上方に延びていると共に、バッテリ装着部６２の上面の後端部に向けて下方に傾斜しつつ延びている。ハンドル部６６の上部は、刃収容部６０よりも上方に位置している。ハンドル部６６は、モータ２２を作動、停止させるためのスイッチ７２を備えている。スイッチ７２は、ハンドル部６６の上部の下面に設けられている。
【００３１】
＜表示部＞
ハウジングは、丸鋸の状態を表示する表示部を有している。表示部は、発光の状態を変化させることにより、丸鋸の状態をユーザに知らせる。表示部は、バッテリパック５２の電池の残量を表示する残量表示部７６と、モータ２２のモードを表示するモード表示部７８とを有している。モータ２２は、モータ２２に作用する負荷の大きさによってモードを変化させる。モータ２２の回転速度が遅くて且つモータ２２のトルクが大きい第一のモードの場合には、モード表示部７８は点灯する。モータ２２の回転速度が速く且つモータ２２のトルクが小さい第二のモードの場合には、モード表示部７８は消灯する。残量表示部７６とモード表示部７８は、互いに近い位置に設けられている。残量表示部７６とモード表示部７８は、基板収容部６４の上面の前部に設けられている。基板収容部６４の上面には、表示板８０が設けられている。表示板８０に、残量表示部７６とモード表示部７８がまとめて設けられている。表示板８０の内側に、残量表示部７６とモード表示部７８とを点灯、消灯させるための基板８２が位置している。表示板８０は、残量表示部７６とモード表示部７８に対応して、図示しない発光素子を有している。基板８２の発光素子が発光することにより、残量表示部７６が点灯し、モード表示部７８が点灯する。基板８２は、回路基板４４の上側に位置し、且つ、基板ケース４８の上側に位置している。基板８２は、基板収容部６４の上部に収容されている。
【００３２】
＜ハウジングの構成部材＞
ハウジングは、複数の部材から作製されている。ハウジングは、モータケース８４と、ギヤケース８６と、ソーカバー８８と、ハンドルケース９０と、横蓋９２とを備えている。モータケース８４、ギヤケース８６、ソーカバー８８、ハンドルケース９０及び横蓋９２は、各々別々に形成された部材である。モータケース８４、ギヤケース８６、ソーカバー８８、ハンドルケース９０及び横蓋９２を互いに連結させることにより、ハウジングが作製されている。
【００３３】
モータケース８４の右側に、ギヤケース８６が位置している。ギヤケース８６の右側に、ソーカバー８８が位置している。モータケース８４の右側に、ハンドルケース９０が位置している。横蓋９２は、モータケース８４の左側に位置している。モータケース８４とギヤケース８６は、左側からネジ止めされることにより、互いに連結されている。ギヤケース８６とソーカバー８８は、左側からネジ止めされることにより、互いに連結されている。モータケース８４とハンドルケース９０は、左側からネジ止めされることにより、互いに連結されている。モータケース８４と横蓋９２は、左側からネジ止めされることにより、互いに連結されている。
【００３４】
モータ収容部５６は、モータケース８４に形成されている。ギヤ収容部５８は、ギヤケース８６に形成されている。刃収容部６０は、ギヤケース８６とソーカバー８８とによって形成されている。刃収容部６０の左部はギヤケース８６に形成されており、刃収容部６０の右部はソーカバー８８に形成されている。バッテリ装着部６２は、モータケース８４とハンドルケース９０とによって形成されている。バッテリ装着部６２の左部はモータケース８４に形成され、バッテリ装着部６２の右部はハンドルケース９０に形成されている。左側のスライドレール６８Ａはモータケース８４に形成され、右側のスライドレール６８Ｂはハンドルケース９０に形成されている。ハンドル部６６は、モータケース８４とハンドルケース９０とによって形成されている。ハンドル部６６の左部はモータケース８４に形成されており、ハンドル部６６の右部はハンドルケース９０に形成されている。
【００３５】
基板収容部６４は、モータケース８４と横蓋９２とによって形成されている。尚、基板収容部６４の上面の一部は表示板８０によって形成されている。表示板８０は、モータケース８４と横蓋９２との間に挟まれている。具体的には、モータケース８４の左側の端部の一部が切り欠かれていて、モータケース８４の切欠部に表示板８０が挿入されている。基板収容部６４は、左側に開口する開口部６４Ａを有している。基板収容部６４の開口部６４Ａは、横蓋９２により閉じられている。横蓋９２は、前部９２Ａと後部９２Ｂとを有している。横蓋９２の前部９２Ａは、モータ収容部５６の左端部５６Ａを覆っている。横蓋９２の前部９２Ａとモータ収容部５６の左端部５６Ａとの間には、電線を通すためのスペースが設けられている。横蓋９２の後部９２Ｂは、基板収容部６４の開口部６４Ａを覆っている。横蓋９２の前部９２Ａは、モータ収容部５６の左端部５６Ａの形状に対応して円形状である。横蓋９２の後部９２Ｂは、基板収容部６４の開口部６４Ａの形状に対応して前後方向に長い長方形状である。横蓋９２は、ネジ９４によってモータケース８４に取り付けられている。図７のように横蓋９２を取り外すと、モータ収容部５６の左端部５６Ａ、回路基板４４及びヒートシンク５０が露出し、且つ、モータ２２と回路基板４４との間の電線９６が露出する。
【００３６】
＜配線＞
バッテリ装着部６２の本体１４側の端子と回路基板４４との間、回路基板４４とモータ２２との間、回路基板４４と基板８２との間に、各々電線が引かれている。回路基板４４とモータ２２との間には、センサ基板４０と回路基板４４とをつなぐ図示しない電線と、ステータ２４と回路基板４４とをつなぐ電線９６とが引かれている。ステータ２４と回路基板４４とをつなぐ電線９６は、センサ基板４０と回路基板４４とをつなぐ電線よりも太い。センサ基板４０と回路基板４４とをつなぐ電線の本数は、例えば五本であり、ステータ２４と回路基板４４とをつなぐ電線９６の本数は、例えば三本である。図７には、代表的に、ステータ２４と回路基板４４とをつなぐ電線９６を図示している。モータ収容部５６の左端部５６Ａには、電線９６を通すための図示しない孔が形成されており、その孔を回路基板４４とモータ２２との間の電線９６が通っている。
【００３７】
本実施形態の丸鋸においては、回路基板４４がモータ２２の左端部２２Ｂの近傍に位置しているので、回路基板４４とモータ２２との間の配線作業を容易に行うことができる。基板収容部６４の右側にバッテリ装着部６２が位置しているので、本体１４側の端子と回路基板４４との間の配線作業を容易に行うことができる。
【００３８】
回路基板４４及び基板収容部６４がモータ２２の後側に位置しているので、丸鋸を小型化することが容易である。回路基板４４の厚さ方向が左右方向に沿っているので、丸鋸を小型化することが容易である。バッテリ装着部６２がモータ収容部５６の後側に位置し、且つ、バッテリパック５２がバッテリ装着部６２に後側から前側に向けて装着されるので、丸鋸の前後方向の長さを短くすることが容易である。バッテリ装着部６２が基板収容部６４と回転刃１０との間に位置しているので、丸鋸の左右方向の長さを短くすることが容易である。基板収容部６４の右側の近傍にバッテリパック５２が位置しているので、丸鋸の左右方向の長さを短くすることが容易である。基板収容部６４とバッテリパック５２が左右方向に並んでいるので、丸鋸の左右方向の長さを短くすることが容易である。
【００３９】
バッテリパック５２の左側に基板収容部６４が位置しているので、バッテリパック５２の左側面を基板収容部６４によって保護することができる。基板収容部６４が箱状であるため、基板収容部６４の保護性能を向上させることができる。基板収容部６４がモータ収容部５６から後側に延びているので、基板収容部６４の強度を高めることができる。バッテリ装着部６２がモータ収容部５６から後側に延びているので、バッテリ装着部６２の強度を高めることができる。バッテリ装着部６２の左側に基板収容部６４が連続して形成されているので、基板収容部６４とバッテリ装着部６２の強度を高めることができる。ハンドル部６６がモータ収容部５６とバッテリ装着部６２の後端部とを連結しているので、バッテリ装着部６２の強度を高めることができる。
【００４０】
横蓋９２を取り外すことにより、基板収容部６４の開口部６４Ａが左側に開口するので、回路基板４４のメンテナンスが容易である。横蓋９２を固定するためのネジ９４を左側から操作することができるので、横蓋９２の着脱作業が容易である。横蓋９２が基板収容部６４の開口部６４Ａを覆うと共にモータ収容部５６の左端部５６Ａも覆うので、一枚の蓋で基板収容部６４の開口部６４Ａとモータ収容部５６の左端部５６Ａの両方を覆うことができる。横蓋９２をモータケース８４にネジ止めする方向と、モータケース８４をハンドルケース９０にネジ止めする方向と、ギヤケース８６をソーカバー８８にネジ止めする方向とが、全て同一方向であるため、組み立て作業の作業性が良い。
【００４１】
基板収容部６４の上面に残量表示部７６とモード表示部７８とが設けられているので、残量表示部７６及びモード表示部７８の視認性に優れている。残量表示部７６とモード表示部７８とがハンドル部６６から左側に離れているので、ハンドル部６６を把持した状態において、残量表示部７６及びモード表示部７８を容易に視認できる。基板収容部６４の上面に残量表示部７６とモード表示部７８とが設けられているので、回路基板４４と基板８２との間の配線が容易である。
【００４２】
尚、表示板８０を右方向に向けて拡大してもよい。図１２及び図１３に表示板８０を拡大した丸鋸を示している。バッテリ装着部６２は、その上面の前部に、開口部６２Ａを有している。バッテリ装着部６２の開口部６２Ａは、基板収容部６４の開口部６４Ａとつながっている。開口部６２Ａは、左右方向に沿って延びていて、モータケース８４を横断している。そのため、モータケース８４は、開口部６２Ａによって、前後に分断されている。開口部６２Ａの左端部の前後方向の長さは、開口部６２Ａの右端部の前後方向の長さよりも長い。開口部６２Ａの前後方向の長さは、右側に向かって徐々に短くなっている。その開口部６２Ａを表示板８０が塞いでいる。表示板８０は、開口部６２Ａに対応した形状であり、開口部６２Ａの全体を覆っている。表示板８０の左端部の前後方向の長さは、表示板８０の右端部の前後方向の長さよりも長い。表示板８０の前後方向の長さは、右側に向かって徐々に短くなっている。つまり、表示板８０は、右側に向けて徐々に細くなっている。
【００４３】
図１３のように、横蓋９２をモータケース８４から取り外すことにより、表示板８０をモータケース８４から取り外すことができる。表示板８０は、開口部６２Ａの左側からモータケース８４に装着される。表示板８０をモータケース８４に装着する際には、表示板８０を右側に向けてスライドさせる。表示板８０をモータケース８４から取り外す際には、表示板８０を左側に向けてスライドさせる。表示板８０は、ハンドルケース９０と横蓋９２とにより、左右両側から挟み込まれる。
【００４４】
このように、表示板８０を左右方向に長い形状とすることで、バッテリ装着部６２の上面の前部に大きな開口部６２Ａが得られる。表示板８０を取り外すことにより、バッテリ装着部６２の上面の前部が大きく開口する。そのため、本体１４側の端子と回路基板４４との間の配線作業を容易に行うことができる。
【００４５】
尚、上記実施形態における丸鋸は、バッテリパック５２を備えたコードレスのものであったが、バッテリパック５２を備えずに、電源コードを備えていてもよい。
【符号の説明】
【００４６】
１０    回転刃
１０Ａ  回転軸線
１２    ベース
１４    本体
１６    縦ピン
１８    横ピン
２０    保護カバー
２２    モータ
２２Ａ  回転軸線
２２Ｂ  左端部（第一端部）
２２Ｃ  右端部（第二端部）
２４    ステータ
２６    ロータ
２８    モータシャフト
３０    左側のベアリング
３２    右側のベアリング
３４    ファン
３６    ギヤ
４０    センサ基板
４２    インシュレータ
４４    回路基板
４６    パワー素子
４８    基板ケース
５０    ヒートシンク
５２    バッテリパック
５４    スライドレール
５６    モータ収容部
５６Ａ  左端部
５８    ギヤ収容部
６０    刃収容部
６２    バッテリ装着部
６２Ａ  開口部
６４    基板収容部
６４Ａ  開口部
６６    ハンドル部
６８Ａ  左側のスライドレール
６８Ｂ  右側のスライドレール
７０    コンデンサ
７２    スイッチ
７６    残量表示部
７８    モード表示部
８０    表示板
８２    基板
８４    モータケース
８６    ギヤケース
８８    ソーカバー
９０    ハンドルケース
９２    横蓋
９２Ａ  前部
９２Ｂ  後部
９４    ネジ
９６    電線
【図１】
2019188489.tif 000003
【図２】
2019188489.tif 000004
【図３】
2019188489.tif 000005
【図４】
2019188489.tif 000006
【図５】
2019188489.tif 000007
【図６】
2019188489.tif 000008
【図７】
2019188489.tif 000009
【図８】
2019188489.tif 000010
【図９】
2019188489.tif 000011
【図１０】
2019188489.tif 000012
【図１１】
2019188489.tif 000013
【図１２】
2019188489.tif 000014
【図１３】
2019188489.tif 000015